(57)【要約】      （修正有）【課題】低速域で良好な走行性能を実現することができる建設機械及びその制御方法を提供する。【解決手段】蓄電器１４に接続された電動発電機１１と、エンジン１０と、電動発電機及びエンジンの出力軸を結合する遊星ギヤとを備え、電動発電機及び／又はエンジンによって発生したトルクを駆動輪２０へ伝達することにより走行可能な建設機械であって、前記遊星ギヤと駆動輪との間に設けられた、変速機１２と、エンジンと変速機とを直結する直結クラッチ１５と、直結クラッチが解放された状態において、アクセル開度及び前記蓄電器の蓄電量に基づいて、エンジンの回転数を制御し、アクセル開度、電動発電機の動作状態、及び蓄電器の蓄電量に基づいて、変速機の変速段の切替を制御するとともに、アクセル開度、車速、及び変速機の変速段に基づいて、エンジン及び電動発電機に発生させるトルクを決定するように構成されている制御装置２とを備える。【選択図】図１
2008247269.tif 000002
【特許請求の範囲】
【請求項１】
蓄電器に接続された電動発電機と、エンジンと、前記電動発電機及び前記エンジンの出力軸を結合する遊星ギヤとを備え、前記電動発電機及び／又は前記エンジンによって発生したトルクを駆動輪へ伝達することにより走行可能な建設機械であって、
前記遊星ギヤと前記駆動輪との間に設けられた、複数の変速段に切替可能な変速機と、
前記エンジンと前記変速機とを直結する直結クラッチと、
前記直結クラッチが解放された状態において、アクセル開度及び前記蓄電器の蓄電量に基づいて、前記エンジンの回転数を制御し、アクセル開度、前記電動発電機の動作状態、及び前記蓄電器の蓄電量に基づいて、前記変速機の変速段の切替を制御するとともに、アクセル開度、車速、及び前記変速機の変速段に基づいて、前記エンジン及び前記電動発電機に発生させるトルクを決定するように構成されている制御装置とを備えることを特徴とする、建設機械。
【請求項２】
前記制御装置は、前記蓄電器の蓄電量が少ない場合であって、アクセルが踏み込まれているときは、前記エンジンの回転数を上昇させる一方で、前記蓄電器の蓄電量が多い場合であって、アクセルが踏み込まれているときは、前記エンジンの回転数を減少させるように構成されている、請求項１に記載の建設機械。
【請求項３】
前記制御装置は、アクセルが踏み込まれており且つ前記電動発電機が力行状態にある場合であって、前記蓄電器の蓄電量が少ないときは、前記変速機の変速段を上げる一方で、アクセルが踏み込まれており且つ前記電動発電機が回生制動状態にある場合であって、前記蓄電器の蓄電量が多いときは、前記変速機の変速段を下げるように構成されている、請求項１又は請求項２に記載の建設機械。
【請求項４】
前記エンジンの逆回転を防止する逆回転防止手段を更に備え、
前記制御装置は、前記電動発電機が回生制動状態にある場合であって、前記蓄電器の蓄電量が過剰であると判定したときに、前記エンジンを停止させるように構成されている、請求項１乃至請求項３の何れかに記載の建設機械。
【請求項５】
荷役装置を駆動する油圧ポンプを更に備え、
前記油圧ポンプは、前記エンジンと直結されており、
前記制御装置は、アクセル開度、車速、及び前記変速機の変速段とともに、前記油圧ポンプの動作に必要なトルクに基づいて、前記エンジン及び前記電動発電機に発生させるトルクを決定するように構成されている、請求項１乃至請求項４の何れかに記載の建設機械。
【請求項６】
前記エンジンと直結された油圧ポンプを更に備え、
前記制御装置は、減速している場合に、前記油圧ポンプの吐出流量とリリーフ圧とを制御することにより、前記エンジンに負トルクを発生させるように構成されている、請求項１乃至請求項４の何れかに記載の建設機械。
【請求項７】
蓄電器に接続された電動発電機と、エンジンと、前記電動発電機及び前記エンジンの出力軸を結合する遊星ギヤとを備え、前記電動発電機及び／又は前記エンジンによって発生したトルクを駆動輪へ伝達することにより走行可能な建設機械の制御方法であって、
前記遊星ギヤと前記駆動輪との間には、複数の変速段に切替可能な変速機が設けられ、
前記エンジンと前記変速機とは直結クラッチにより直結されるように構成されており、
前記直結クラッチが解放された状態において、アクセル開度及び前記蓄電器の蓄電量に基づいて、前記エンジンの回転数を制御するステップと、アクセル開度、前記電動発電機の動作状態、及び前記蓄電器の蓄電量に基づいて、前記変速機の変速段の切替を制御するステップと、アクセル開度、車速、及び前記変速機の変速段に基づいて、前記エンジン及び前記電動発電機に発生させるトルクを決定するステップとを有することを特徴とする、建設機械の制御方法。
【請求項８】
前記エンジンの回転数を制御するステップは、前記蓄電器の蓄電量が少ない場合であって、アクセルが踏み込まれているときは、前記エンジンの回転数を上昇させる一方で、前記蓄電器の蓄電量が多い場合であって、アクセルが踏み込まれているときは、前記エンジンの回転数を減少させる、請求項７に記載の建設機械の制御方法。
【請求項９】
前記変速段の切替を制御するステップは、アクセルが踏み込まれており且つ前記電動発電機が力行状態にある場合であって、前記蓄電器の蓄電量が少ないときは、前記変速機の変速段を上げる一方で、アクセルが踏み込まれており且つ前記電動発電機が回生制動状態にある場合であって、前記蓄電器の蓄電量が多いときは、前記変速機の変速段を下げる、請求項７又は請求項８に記載の建設機械の制御方法。
【請求項１０】
前記建設機械は、荷役装置を駆動する油圧ポンプを更に備え、前記油圧ポンプは、前記エンジンと直結されており、
前記トルクを決定するステップは、アクセル開度、車速、及び前記変速機の変速段とともに、前記油圧ポンプの動作に必要なトルクに基づいて、前記エンジン及び前記電動発電機に発生させるトルクを決定する、請求項７乃至請求項９の何れかに記載の建設機械の制御方法。
【発明の詳細な説明】
【技術分野】
【０００１】
本発明は、エンジン及び電動発電機を備える建設機械に関し、特にホイールローダなどの加速及び減速を繰り返す建設機械及びその制御方法に関する。
【背景技術】
【０００２】
ホイールローダなどの建設機械の場合、一定速度で継続して走行することは少なく、自動車などの一般的な移動体とは異なる走行性能が求められる。
【０００３】
図５０は、ホイールローダによる総作業の大半を占めるＶ字作業を説明するための平面図である。図５０（ａ）に示すように、ホイールローダ１００は、土砂１０２をすくうために、土砂１０２に向かって前進する。次に、図５０（ｂ）に示すように、ホイールローダ１００は、土砂１０２のすくいこみを行う。この場合、ゼロ速度から極低速での強大な牽引力が必要となる（ストール状態）。
【０００４】
土砂１０２のすくいこみが完了した後、ホイールローダ１００は、図５０（ｃ）に示すように、一旦後進した後に方向転換し、トラック１０１に向かって前進を始める（スイッチバック）。そして、図５０（ｄ）に示すように、ホイールローダ１００がトラック１０１に向かって前進を続けた後、図５０（ｅ）に示すように、ホイールローダ１００は、トラック１０１への土砂１０２の積み込みを行う。
【０００５】
土砂１０２の積み込みが完了した後、ホイールローダ１００は、図５０（ｆ）に示すように、一旦後進した後に方向転換し、再度土砂１０２に向かって前進する（スイッチバック）。
【０００６】
以上のようなＶ字作業においては、極低速域において強大な牽引力が必要になったり、低速域における加速及び減速の繰り返し並びにスイッチバックの繰り返しが強いられたりする。このような要求は、建設機械に特有のものである。
【０００７】
ところで、近年では、エンジンと電動発電機とを組み合わせて構成するハイブリッド車両が注目されており、種々の関連装置が開発されている。その例として、特許文献１ではハイブリッド車両用の発進装置（以下、従来例１という）が、特許文献２ではハイブリッド車両用の駆動装置（以下、従来例２という）がそれぞれ提案されている。
【０００８】
従来例１は、エンジンの出力軸に連結された歯車要素の目標回転数をアクセルの操作量に基づいて設定し、電気式回転装置を駆動して制動トルクを発生させることによって、その歯車要素の回転数が設定した目標回転数になるように電動発電機を制御する。このような構成により、効率良く車両を発進させることが可能となる。
【０００９】
また、従来例２は、遊星歯車装置のリングギヤと電動発電機とを連結し、遊星歯車装置のサンギヤとエンジンとを連結し、遊星歯車装置のキャリアから駆動輪側へ出力する一方、これらのリングギヤ、キャリア及びサンギヤが互いに等しい結合回転速度となった時にそれらのうちの２つを一体的に結合し、その結合回転速度以上で一体回転させる。このような構成により、車両をスムースに発進させることが可能となる。
【特許文献１】特許３３４４８４８号明細書
【特許文献２】特開平９−１４３８５号公報
【発明の開示】
【発明が解決しようとする課題】
【００１０】
上述したような建設機械に特有な走行性能を得るために、中型以上のホイールローダでは、トルクコンバータを備えるのが一般的である。図５１は、トルクコンバータにおける速度比に対するトルク比と効率・吸収トルク係数との関係を示すグラフである。また、図５２は、トルクコンバータにおける入力トルクとエンジン回転数との関係を示すグラフである。
【００１１】
図５１を参照すると、トルクコンバータは、全体的に効率が悪く、特に低速度比での効率が極端に悪いことが確認できる（Ｒ１領域を参照）。上述したように、ホイールローダでは加速及び減速、ストールやスイッチバックの低速域での走行性能が必要とされ、トルクコンバータの低効率領域の使用頻度が高いため、効率の面で改善の余地がある。
【００１２】
また、図５２を参照すると、伝達トルクが、入力軸（エンジンの出力軸）の回転数に依存しており、したがって、エンジンの回転数が低い場合は伝達されるトルクも小さくなることが確認できる（Ｒ２領域を参照）。そのため、加速時にはエンジンの回転数が上昇するまで十分なトルクを伝達することができないこととなる。これは、短距離で加速及び減速を繰り返す建設機械にとって、デメリットである。
【００１３】
ところで、ホイールローダなどの建設機械をハイブリッド車両とする場合、トルクコンバータと同等以上の走行性能を実現するためには、低速域での直結クラッチ解放状態での走行が主となり、この状態でエンジントルク、電動発電機トルク及び変速の段数の制御を行う必要がある。
【００１４】
上述した従来例１及び２は、車両が停止している状態から直結クラッチが接続されるまでの発進時における制御は行っているものの、このようなエンジントルク、電動発電機トルク及び変速の段数の制御は行っていない。そのため、これらの従来例１及び２を適用して、ハイブリッドの建設機械を実現することは困難である。
【００１５】
本発明は、このような課題を解決するためになされたもので、その目的は、直結クラッチの結合を行わない、すなわち直結クラッチが解放された状態での低速域で良好な走行性能を実現することできる建設機械及びその制御方法を提供することにある。
【課題を解決するための手段】
【００１６】
本発明者等は、ホイールローダなどの建設機械をハイブリッド車両とするためには、どのような構成とすべきかについて、鋭意検討を重ねた。
【００１７】
自動車、トラック又は鉄道などのハイブリッドシステムとしては、一般的に（１）シリーズ方式、（２）パラレル方式、（３）シリーズ・パラレル（スプリット）方式に分類されることが知られている。ここで、（２）パラレル方式の場合、トルクコンバータが必要となる。しかし、上述したように、トルクコンバータは低速域での効率が極めて低い。そのため、パラレル方式は、建設機械には不向きであるといえる。また、パラレル方式の場合、減速時の回生発電以外では、緩やかな加速又は定速走行時などのエンジン出力に余裕のあるときに発電するが、ホイールローダの場合はそのような余裕があるときはほとんどない。また減速回生で得られる発電量自体も少ない。したがって、ホイールローダにパラレル方式を採用すると、発電量が乏しくなってしまうという問題もある。
【００１８】
他方、（１）シリーズ方式、及び（３）シリーズ・パラレル方式による自動車などの場合、発進時のトルクは自身を加速させるだけのもので足りる。そのため、ゼロ速度から強力なトルクを発生する電動発電機を備える場合、変速機は不要となることが多い。
【００１９】
しかしながら、上述したように、低速域において強大な牽引力が必要となるホイールローダの場合、実用化している電動発電機を用いる限り、変速機は必須であるといえる。図５３乃至図５５は、ホイールローダを電動発電機で駆動する場合における車速と牽引力との関係を示す走行特性図である。変速段が１速の場合の最大牽引力を得るためには、減速比を大きくとり、電動発電機の最大トルクで必要な駆動力を得るようにするが、その反面、電動発電機の最高回転数の制限によって、最高速度が制限される（図５３に示す例では１速での最高速度は７ｋｍ／ｈ程度となる）。なお、変速段が２速の場合及び３速の場合については、図５４及び図５５にそれぞれ示している。
【００２０】
このように、電動発電機の最大トルク及び最高回転数はトレードオフの関係にあるため、低回転で高トルクを発生し、且つ最高回転数の高い電動発電機を得ることは困難である。したがって、ホイールローダにおいては変速機が必須となる。
【００２１】
このように、ホイールローダの場合は変速機が必須であるため、シリーズ方式又はシリーズ・パラレル方式を採用したとしても、これらの方式における変速機が不要になるというメリットを享受することができない。また、シリーズ方式及びシリーズ・パラレル方式においては、電動発電機及びインバータが２セット必要になるため、高コスト化を招くという問題が生じる。
【００２２】
上記課題を解決するために、本発明の建設機械は、蓄電器に接続された電動発電機と、エンジンと、前記電動発電機及び前記エンジンの出力軸を結合する遊星ギヤとを備え、前記電動発電機及び／又は前記エンジンによって発生したトルクを駆動輪へ伝達することにより走行可能な建設機械であって、前記遊星ギヤと前記駆動輪との間に設けられた、複数の変速段に切替可能な変速機と、前記エンジンと前記変速機とを直結する直結クラッチと、前記直結クラッチが解放された状態において、アクセル開度及び前記蓄電器の蓄電量に基づいて、前記エンジンの回転数を制御し、アクセル開度、前記電動発電機の動作状態（力行または回生）、及び前記蓄電器の蓄電量に基づいて、前記変速機の変速段の切替を制御するとともに、アクセル開度、車速、及び前記変速機の変速段に基づいて、前記エンジン及び前記電動発電機に発生させるトルクを決定するように構成されている制御装置とを備える。
【００２３】
このように構成すると、エンジントルクと電動発電機トルクとがバランスを保った状態で、蓄電器の限られた蓄電容量の範囲内において充放電を繰り返しながら走行することが可能となる。
【００２４】
前記発明に係る建設機械において、前記制御装置が、前記蓄電器の蓄電量が少ない場合であって、アクセルが踏み込まれているときは、前記エンジンの回転数を上昇させる一方で、前記蓄電器の蓄電量が多い場合であって、アクセルが踏み込まれているときは、前記エンジンの回転数を減少させるように構成されていてもよい。
【００２５】
また、前記発明に係る建設機械において、前記制御装置が、アクセルが踏み込まれており且つ前記電動発電機が力行状態にある場合であって、前記蓄電器の蓄電量が少ないときは、前記変速機の変速段を上げる一方で、アクセルが踏み込まれており且つ前記電動発電機が回生制動状態にある場合であって、前記蓄電器の蓄電量が多いときは、前記変速機の変速段を下げるように構成されていてもよい。
【００２６】
また、前記発明に係る建設機械が、前記エンジンの逆回転を防止する逆回転防止手段を更に備え、前記制御装置が、前記電動発電機が回生制動状態にある場合であって、前記蓄電器の蓄電量が過剰であると判定したときに、前記エンジンを停止させるように構成されていてもよい。
【００２７】
また、前記発明に係る建設機械が、荷役装置を駆動する油圧ポンプを更に備え、前記油圧ポンプは、前記エンジンと直結されており、前記制御装置が、アクセル開度、車速、及び前記変速機の変速段とともに、前記油圧ポンプの動作に必要なトルクに基づいて、前記エンジン及び前記電動発電機に発生させるトルクを決定するように構成されていてもよい。
【００２８】
また、前記発明に係る建設機械が、前記エンジンと直結された油圧ポンプを更に備え、前記制御装置が、減速している場合に、前記油圧ポンプの吐出流量とリリーフ圧とを制御することにより、前記エンジンに負トルクを発生させるように構成されていてもよい。
【００２９】
本発明の建設機械の制御方法は、蓄電器に接続された電動発電機と、エンジンと、前記電動発電機及び前記エンジンの出力軸を結合する遊星ギヤとを備え、前記電動発電機及び／又は前記エンジンによって発生したトルクを駆動輪へ伝達することにより走行可能な建設機械の制御方法であって、前記遊星ギヤと前記駆動輪との間には、複数の変速段に切替可能な変速機が設けられ、前記エンジンと前記変速機とは直結クラッチにより直結されるように構成されており、前記直結クラッチが解放された状態において、アクセル開度及び前記蓄電器の蓄電量に基づいて、前記エンジンの回転数を制御するステップと、アクセル開度、前記電動発電機の動作状態、及び前記蓄電器の蓄電量に基づいて、前記変速機の変速段の切替を制御するステップと、アクセル開度、車速、及び前記変速機の変速段に基づいて、前記エンジン及び前記電動発電機に発生させるトルクを決定するステップとを有する。
【００３０】
前記発明に係る建設機械の制御方法において、前記エンジンの回転数を制御するステップが、前記蓄電器の蓄電量が少ない場合であって、アクセルが踏み込まれているときは、前記エンジンの回転数を上昇させる一方で、前記蓄電器の蓄電量が多い場合であって、アクセルが踏み込まれているときは、前記エンジンの回転数を減少させるようにしてもよい。
【００３１】
また、前記発明に係る建設機械の制御方法において、前記変速段の切替を制御するステップが、アクセルが踏み込まれており且つ前記電動発電機が力行状態にある場合であって、前記蓄電器の蓄電量が少ないときは、前記変速機の変速段を上げる一方で、アクセルが踏み込まれており且つ前記電動発電機が回生制動状態にある場合であって、前記蓄電器の蓄電量が多いときは、前記変速機の変速段を下げるようにしてもよい。
【００３２】
また、前記発明に係る建設機械の制御方法において、前記建設機械が、荷役装置を駆動する油圧ポンプを更に備え、前記油圧ポンプは、前記エンジンと直結されており、前記トルクを決定するステップが、アクセル開度、車速、及び前記変速機の変速段とともに、前記油圧ポンプの動作に必要なトルクに基づいて、前記エンジン及び前記電動発電機に発生させるトルクを決定するようにしてもよい。
【発明の効果】
【００３３】
本発明によれば、蓄電器の限られた蓄電容量の範囲内において充放電を繰り返しながら走行することができる建設機械及びその制御方法を提供することができる。
【発明を実施するための最良の形態】
【００３４】
以下、本発明の好ましい実施の形態を、図面を参照しながら説明する。
【００３５】
（実施の形態１）
図１は、本発明の実施の形態１に係る建設機械の主要部の構成を示すブロック図である。図１に示すように、本実施の形態の建設機械１は、エンジン１０と、電動発電機１１とを備えている。エンジン１０の出力軸は遊星ギヤ装置のサンギヤ１６ａと、電動発電機１１の出力軸は遊星ギヤ装置のリングギヤ１６ｂと接続されるギヤ１７とそれぞれ接続されている。また、遊星ギヤ装置のキャリア軸１８は、複数の変速段に自動的に切替可能な電子制御の変速機１２と接続されている。なお、遊星ギヤ装置には、サンギヤ１６ａ、リングギヤ１６ｂ及びキャリア軸１８のうちの何れか２つを直結するクラッチが設けられている（図１ではサンギヤ１６aとキャリア軸１８を直結している）。
【００３６】
変速機１２は、デファレンシャルギヤ１９を介して、駆動輪２０と接続されている。なお、デファレンシャルギヤ１９を介さずに、変速機１２と駆動輪２０とが直接接続されていてもよい。また、変速機１２とエンジン１０とは、直結クラッチ１５により接続される。
【００３７】
電動発電機１１は、インバータ１３を介して蓄電器１４と接続されている。この電動発電機１１は、回生制動器として、また力行による動力源として機能する。
【００３８】
なお、図１には示されていないが、後述するように、建設機械１は、機械式ブレーキを電子制御するためのブレーキ回路を備えている。
【００３９】
また、建設機械１は、エンジン１０、電動発電機１１及び変速機１２の動作を制御するための制御装置２を備えている。この制御装置２の詳細を以下に説明する。
【００４０】
図２は、本発明の実施の形態１に係る建設機械が備える制御装置の構成を示す機能ブロック図である。
【００４１】
図２に示すように、制御装置２には、蓄電器の蓄電量、アクセル及びブレーキの操作量、車速、電動発電機１１の回転数及びトルク（蓄電器の充放電量に相当）、エンジン１０の回転数、並びに前後進レバーのレバー位置が入力される。そして、エンジン回転数設定手段２０１が、蓄電量及びアクセルの操作量の入力に基づいて、エンジンの回転数の設定を行う。また、エンジン回転数制御手段２０２は、エンジン回転数設定手段２０１によって定められた設定回転数及びエンジン１０の実際のエンジン回転数、並びに電動発電機１１の実際の回転数の入力を受け、これらの入力からエンジン１０及び電動発電機１１に必要なトルクを算出し、その算出した結果を示すエンジントルク増減指令及び電動発電機トルク増減指令を出力する。
【００４２】
また、計算手段２０３が備える走行トルク計算手段２０３ａは、アクセル及びブレーキの操作量などから、走行に必要とされる走行トルクを計算して、その計算した結果を走行トルク指令として出力する。出力トルク制限手段２０４は、走行トルク計算手段２０３ａから走行トルク指令を受け、その走行トルク指令に対し蓄電器の蓄電量が少ない場合や過剰な場合に発電電動機の出力を制限するために、出力トルクを制限して、電動発電機エンジントルク配分手段２０５へ出力する。なお、この出力トルク制限手段２０４が省略され、走行トルク計算処理手段２０３ａから電動発電機エンジントルク配分手段２０５へ直接走行トルク指令が出力されるようにしてもよい。
【００４３】
この走行トルク計算手段２０３ａでは、アクセル及びブレーキ操作量から走行に必要とされる走行トルクを計算して出力するため、ブレーキを効かした状態で駆動力をかけることによりエネルギを無駄に消費したり、ブレーキに過度な負担をかけるような動作を起こさせないようにすることができる。
【００４４】
電動発電機エンジントルク配分手段２０５は、後述するようにして、走行トルク指令に基づいて、電動発電機１１及びエンジン１１へのトルク配分を計算し、その結果として電動発電機トルク指令及びエンジントルク指令を電動発電機１１及びエンジン１０へそれぞれ出力する。なお、この電動発電機トルク指令に、エンジン回転数制御手段２０２によって出力された電動発電機トルク増減指令が加えられた信号が、電動発電機１１に入力される。他方、エンジン１０には、このエンジントルク指令に、同じく出力されたエンジントルク増減指令が加えられた信号が、入力される。
【００４５】
また、計算手段２０３が備える変速段数計算手段２０３ｂは、後述するようにして、アクセル操作量、蓄電器の蓄電量、及び電動発電機の動作状態（回生制動又は力行）から、変速段数を計算し、その計算した結果に基づいて、シフトアップ又はシフトダウンが必要であるか否かについての変速指令を、変速機１２へ出力する。
【００４６】
なお、計算手段２０３は、減速中に変速段を切り替える場合に、クラッチが切れた状態となって減速が一旦弱まる（トルク抜け）ことに伴う操縦フィーリングの低下を防止するために、機械式ブレーキを制御する電子制御ブレーキ回路２１に対して、機械式ブレーキ指令を出力する。これにより、機械式ブレーキが補助的に用いられることになり、前後進の切替の際（スイッチバック）の減速段階でのトルク抜けが発生した場合でも操縦フィーリングを良好に保つことができる。
【００４７】
本発明における基本的な制御は、アクセル操作量及び車速から必要とする駆動力を走行トルク計算機能手段によって計算し、それに応じて、電動発電機１１とエンジン１０とのトルク配分（遊星ギヤのギヤ比により一意に決まる）を電動発電機エンジントルク配分手段２０５が行い、その結果を電動発電機１１及びエンジン１０に出力することにより、行われる。
【００４８】
建設機械が停止している状態において、アクセルが離されたされた場合、通常エンジン回転数はアイドリング回転数となる。しかしながら、本発明では基本的にエンジン回転数はアクセル操作量とは独立しており、主に蓄電量により設定される。これは次の理由による。まず、エンジン回転数が低い場合は同一ギヤでの電動発電機１１の回生制動（発電）による上限速度（すなわち回生制動から力行への移行時の速度）が低くなり、エンジン回転数が高い場合はそれに応じて上限速度が高くなる。そして、車速が回生制動（発電）による上限速度を上回る場合は電動発電機１１が力行状態となるが、蓄電量の制限があるため、力行を長時間継続することは不可能である。そこで、後述するように、エンジン回転数を蓄電量により設定することによって、電動発電機１１の回生制動領域及び力行領域において蓄電量が最適となるような制御を行うことが可能となる。
【００４９】
エンジン回転数に関する制御は、操縦フィーリングに影響を与えることがないように、エンジン回転数のみを変化させる必要がある。すなわち、アクセル操作量に対応した駆動力を、電動発電機１１及びエンジン１０により発生した状態で、エンジン回数のみを変化させる必要がある。そのために、本発明においては、後述するように、遊星ギヤの出力軸であるキャリア軸のトルクを一定に保ったままで、電動発電機１１とエンジン１０とのトルク配分を変えることによって、エンジン回転数の増速及び減速を行う。
【００５０】
なお、上述した回生制動による上限速度はエンジン回転数により変化するが、さらに加速する場合は変速段数を上げる（シフトアップ）ことにより、回生制動の上限速度は高くなる。本発明においては、このように加速により車速を上げる場合、蓄電器の蓄電量が最適となるように、エンジン回転数及び変速段数を制御する。
【００５１】
次に、フローチャート等を参照しながら、エンジン回数設定手段２０１、電動発電機エンジントルク配分手段２０５、及び変速段数計算手段２０３ｂにおけるより具体的な処理について、説明する。なお、以下の処理は、直結クラッチが解放された低速域での走行、すなわち例えば加速及び減速を繰り返したりスイッチバックを繰り返したりするＶ字作業における走行中の処理である。
【００５２】
図３は、エンジン回数設定手段２０１におけるエンジン設定回転数計算の処理手順を示すフローチャートである。図３に示すように、まず、エンジン回数設定手段２０１は、蓄電器の蓄電量が、予め設定された蓄電量の下限値（設定下限値）より少ないか否かを判定する（Ｓ１０１）。ここで、蓄電量が設定下限値よりも少ないと判定した場合（Ｓ１０１でＹＥＳ）、すなわち蓄電量が不足していると判定した場合、エンジン回数設定手段２０１は、アクセルが踏み込まれている（アクセルがオンされている）か否かを判定する（Ｓ１０２）。アクセルが踏み込まれていないと判定した場合（Ｓ１０２でＮＯ）は処理を終了し、アクセルが踏み込まれていると判定した場合（Ｓ１０２でＹＥＳ）は、エンジン設定回転数を増加する（Ｓ１０３）。
【００５３】
他方、ステップＳ１０１で蓄電量が設定下限値以上であると判定した場合（Ｓ１０１でＮＯ）、すなわち蓄電量が十分であると判定した場合、エンジン回数設定手段２０１は、蓄電器の蓄電量が、予め設定された蓄電量の上限値（設定上限値）より多いか否かを判定する（Ｓ１０４）。ここで、蓄電量が設定上限値以下であると判定した場合（Ｓ１０４でＮＯ）、すなわち蓄電量は適切であると判定した場合は処理を終了し、蓄電量が設定上限値より多いと判定した場合（Ｓ１０４でＹＥＳ）、アクセルが踏み込まれているか否かを判定する（Ｓ１０５）。そして、アクセルが踏み込まれていないと判定した場合（Ｓ１０５でＮＯ）は処理を終了し、アクセルが踏み込まれていると判定した場合（Ｓ１０５でＹＥＳ）は、エンジン設定回転数を減少する（Ｓ１０３）。
【００５４】
このような処理を行うことによって蓄電量に応じた適切なエンジン回転数の設定を行うことが可能となる。
【００５５】
図４は、電動発電機エンジントルク配分手段２０５における電動発電機トルク指令及びエンジントルク指令の算出処理の一例の手順を示す説明図である。なお、以下では、図２における出力トルク制限手段２０４が省略されており、走行トルク計算手段２０３ａと電動発電機エンジントルク配分手段２０５とが直接接続されている場合を例にとって説明する。
【００５６】
まず、この電動発電機トルク指令及びエンジントルク指令の算出処理の前提となる遊星ギヤの基本式を以下に示す。
【００５７】
ａＥ・ωＥ＋ａＭ・ωＭ＋ａout・ωout＝０            …（１式：回転数の関係）
ＴＥ／ａＥ＝ＴＭ／ａＭ＝Ｔout／ａout          …（２式：トルクの関係）
ａＥ＋ａＭ＋ａout＝０                   …（３式：係数の関係）
以上の式において、ωＥ，ωＭ，ωoutはエンジン（サンギヤ），電動発電機（リングギヤ）、出力軸（キャリア軸）の回転数をそれぞれ表しており、ＴＥ，ＴＭ，Ｔoutは、エンジン（サンギヤ），電動発電機（リングギヤ）、出力軸（キャリア軸）のトルクをそれぞれ表している。また、ａＥ，ａＭ，ａoutは、遊星ギヤパラメータを表している。
【００５８】
図４に示すとおり、走行トルク計算手段２０３ａは、アクセル開度、車速、及び変速段数に基づいて、走行に必要なトルクを算出し、その算出した結果として走行トルク指令（Ｔout）を電動発電機エンジントルク配分手段２０５へ出力する。
【００５９】
電動発電機エンジントルク配分手段２０５は、走行トルク指令（Ｔout）の入力を受けて、ＴＭ＝Ｔout・ａＭ／ａout及びＴＥ＝Ｔout・ａＭ／ａoutを計算して、その計算結果として電動発電機トルク指令（ＴＭ）及びエンジントルク指令（ＴＥ）を電動発電機１１及びエンジン１０へそれぞれ出力する。
【００６０】
なお、自車が走行するのに必要な牽引力以外の牽引力を必要としない通常の走行の場合、走行トルクは、アクセル開度及び車速（車速の変化率も含む）により一意に決定される。この走行トルクの計算においては、変速段によらず同じ加速となるように、変速段の段数も考慮される。これにより、蓄電量により変速段が異なっている場合であっても、同じ速度で同じアクセル開度であれば同じ走行トルク指令が出力されることになり、同じ加速力が得られる。したがって、操縦者はその時点での変速段数を意識する必要はない。
【００６１】
また、重量物の牽引及び土砂のすくいこみなどの牽引力が必要な走行状況においては、走行トルク指令を出力しても車速が上昇しないため、必要に応じて走行トルク指令を増加する必要が生じる。この場合は、走行トルク計算処理に組み込まれた積分制御の積分器上限をアクセル開度で設定するようにすればよい。この機能により、重量物の牽引や土砂のすくいこみ時に、アクセルを踏み込んでも車速が上昇しない場合は牽引力を増加させていき、その上限値がアクセル開度で設定されることにより、必要な牽引力がアクセル操作で得られることとなる。
このような牽引力が必要とされる走行状況においては、回生制動による走行が多くなり、発電状態が持続することになるため、後述する変速段数計算手段２０３ｂにおける処理の結果シフトダウンが行われ、その結果牽引力も増すことになる。また、土砂のすくいこみ作業などの際に操縦者が事前に牽引力の増加が必要であると判断した場合は、手動でシフトダウンを行うことによって、円滑に作業を行うようにすることができる。
【００６２】
図５は、変速段数計算手段２０３ｂにおける変速段数計算の処理手順を示すフローチャートである。図５に示すように、変速段数計算手段２０３ｂは、アクセルが踏み込まれている（アクセルがオンされている）か否かを判定する（Ｓか否かを判定する（Ｓ２０１）。ここで、アクセルが踏み込まれていると判定した場合（Ｓ２０１でＹＥＳ）、すなわち加速されていると判定した場合、変速段数計算手段２０３ｂは、電動発電機１１が回生制動状態にあるか力行状態にあるかを判定する（Ｓ２０２）。
【００６３】
ステップＳ２０２において、電動発電機１１が力行状態にある（電動発電機１１が正転している）と判定した場合（Ｓ２０２で「力行」）、変速段数計算手段２０３ｂは、蓄電量が設定下限値より少ないか否かを判定し（Ｓ２０３）、蓄電量が設定下限値以上である、すなわち蓄電量が十分であると判定した場合（Ｓ２０３でＮＯ）は処理を終了する。他方、蓄電量が設定下限値より少ない、すなわち蓄電量が不足していると判定した場合（Ｓ２０３でＹＥＳ）、変速段数計算手段２０３ｂは、シフトアップするように変速指令を変速機１２へ出力する（Ｓ２０４）。
【００６４】
また、ステップＳ２０２において、電動発電機１１が回生制動状態にある（電動発電機１１が逆転している）と判定した場合（Ｓ２０２で「回生制動」）、変速段数計算手段２０３ｂは、蓄電量が設定上限値より多いか否かを判定し（Ｓ２０５）、蓄電量が設定上限値以下である、すなわち蓄電量が適切であると判定した場合（Ｓ２０５でＮＯ）は処理を終了する。他方、蓄電量が設定上限値より多い、すなわち蓄電量が過剰であると判定した場合（Ｓ２０５でＹＥＳ）、変速段数計算手段２０３ｂは、シフトダウンするように変速指令を変速機１２へ出力する（Ｓ２０６）。
【００６５】
ステップＳ２０１において、アクセルが踏み込まれていないと判定した場合（Ｓ２０１でＮＯ）、すなわちエンジンブレーキが作動中であると判定した場合、変速段数計算手段２０３ｂは、電動発電機１１が回生制動状態にあるか力行状態にあるかを判定する（Ｓ２０７）。
【００６６】
ステップＳ２０７において、電動発電機１１が力行状態にあると判定した場合（Ｓ２０７で「力行」）、変速段数計算手段２０３ｂは、蓄電量が設定下限値より少ないか否かを判定し（Ｓ２０８）、蓄電量が設定下限値以上である、すなわち蓄電量が十分であると判定した場合（Ｓ２０８でＮＯ）は処理を終了する。他方、蓄電量が設定下限値より少ない、すなわち蓄電量が不足していると判定した場合（Ｓ２０８でＹＥＳ）、変速段数計算手段２０３ｂは、シフトダウンするように変速指令を変速機１２へ出力する（Ｓ２０９）。
【００６７】
また、ステップＳ２０７において、電動発電機１１が回生制動状態にあると判定した場合（Ｓ２０７で「回生制動」）、変速段数計算手段２０３ｂは、蓄電量が設定上限値より多いか否かを判定し（Ｓ２１０）、蓄電量が設定上限値以下である、すなわち蓄電量が適切であると判定した場合（Ｓ２１０でＮＯ）は処理を終了する。他方、蓄電量が設定上限値より多い、すなわち蓄電量が過剰であると判定した場合（Ｓ２１０でＹＥＳ）、変速段数計算手段２０３ｂは、シフトアップするように変速指令を変速機１２へ出力する（Ｓ２１１）。
【００６８】
このように処理することにより、電動発電機の状態及び蓄電量に応じた適切な変速段の切替を行うことが可能となる。
【００６９】
次に、上述した制御を行った場合における本実施の形態の建設機械の走行動作について、遊星ギヤの速度線図を参照しながら説明する。
【００７０】
図６は、アイドリング状態における遊星ギヤの速度線図である。建設機械１が停止して１速に入れた状態で、エンジン１０がアイドリングで回転している場合は、図６に示すように、エンジン１０にはトルクが発生しておらず、車体が停止しているため、ゼロ速度である。この場合、電動発電機１１は無負荷状態であり、逆回転させられている。ただし、厳密には、エンジン１０がアイドリング回転数を保つため、エンジン１０の機械摩擦及び電動発電機１１の機械摩擦分のトルクが発生している。
【００７１】
この状態で、操縦者がアクセルを踏み込むと、電動発電機エンジントルク配分手段２０５によって、トルクの配分がなされ、図７に示すように、電動発電機１１及びエンジン１０に必要なトルクが発生し、それにより、アクセル操作量に応じたトルクが遊星ギヤの出力軸に発生する。図７を参照すると分かるように、出力軸の回転数が低い場合、電動発電機１１は制動方向にトルクを発生することとなり、回生制動により発電が行われることになる。ここで発電された電力は、蓄電器に蓄電される。なお、エンジン１０の発生トルクと電動発電機１１の発生トルクとのバランスを変えることにより、エンジン回転数及び電動発電機回転数を制御することができる。この点については、図１３乃至図１５を参照しながら後述する。
【００７２】
車体速度が上昇するに従い出力軸の回転数が上昇し、これに伴って、図８に示すように、電動発電機１１の回転数はゼロに近くなる。このまま加速を続けると、さらに速度が上昇し、その結果図９に示すように、電動発電機１１の回転数はゼロとなる。そして、さらに速度が上昇すると、図１０に示すように、電動発電機１１の状態が回生制動から力行へ移行する。ここで、電動発電機１１は、蓄電器１４に蓄電された電力（回生制動による加速によって蓄電された電力＋それまでに蓄電されていた電力）を用いて力行を行うことになる。
【００７３】
電動発電機１１が力行状態にある場合において、蓄電量が少ない状態で加速を続けると、上述したように、変速段数計算手段２０３ｂから変速機１２に対してシフトアップするための変速指令が出力される。その結果、ギヤ比が変更され、出力軸の回転数は低くなるため、電動発電機１１は再び逆回転となり回生制動状態となり、発電しながら加速を継続することになる（図１１）。その後、加速が継続すると、図１２に示すように、電動発電機１１は再び力行状態となる。
【００７４】
このようにして変速段数計算手段２０３ｂによる変速段数の制御が行われることによって、蓄電器の限られた蓄電容量の範囲内において充放電を繰り返しながら走行を続けることができる。
【００７５】
次に、上述したエンジン１０及び電動発電機１１の発生トルクのバランスを変えることにより、エンジン回転数及び電動発電機回転数を制御する点について、説明する。
【００７６】
遊星ギヤにおいては、上述した遊星ギヤの基本式の２式に示すように、各軸のトルクバランスが一致する。そのため、エンジン１０と電動発電機１１とのトルクがバランスしていると、エンジン１０及び電動発電機１１はともに回転数を上げながら車体を加速させる（出力軸の回転数を上昇させる）。ここで、エンジン１０及び電動発電機１１のトルクバランスを変えて、例えばエンジントルクを大きくすると、エンジン回転数が上昇する一方で、電動発電機回転数は低下することになる。このように、エンジン１０及び電動発電機１１のトルクバランスを変えてエンジン１０及び電動発電機１１の回転数を制御することにより、充放電を繰り返しながら走行を続けることが可能になる。以下、図１３乃至図１５を参照しながら具体的に説明する。
【００７７】
図１３乃至図１５は、２速での加速状態における遊星ギヤの速度線図である。図１３乃至図１５に示す何れの場合においても、遊星ギヤの出力軸の回転数は同一となっている。図１４に示すように、電動発電機１１が回生制動と力行の遷移点にある場合、電力の充放電は行われない。ここで、エンジン１０及び電動発電機１１のトルクバランスを変えて、エンジントルクを小さくすると、エンジン回転数が低下する一方で、電動発電機回転数は上昇することになる。その結果、電動発電機１１は、図１３に示すように、力行状態となり、蓄電器１４に蓄電された電力を消費する。これに対して、エンジントルクを大きくすると、エンジン回転数が上昇する一方で、電動発電機回転数は低下することになる。その結果、電動発電機１１は、図１５に示すように、回生制動状態となり、蓄電器１４に電力が蓄えられることになる。
【００７８】
このように、同一の車速であっても、エンジン１０の回転数によって、電動発電機１１は力行及び回生制動の何れかの状態をとりうるため、電動発電機１１による充放電をエンジン回転数で制御することが可能となる。
【００７９】
次に、上述した走行動作について、速度と牽引力との関係を示す走行特性図を参照しながら説明する。なお、この走行特性図を作成するために必要となるエンジン特性及び電動発電機特性について、図１６及び図１７にそれぞれ示す。エンジンは、アイドリング回転数（又は有効トルクを発生する最低の回転数）以下では回転せず、また、トルクは、図１６に示す網掛け領域（エンジン回転数によらずトルクが一定の領域）内で発生するものとする。なお、実際には、図１６に示すエンジン発生トルクのラインで示すような特性となるが、後述する走行特性図の作成の便宜上、上記のとおりとしている。
【００８０】
また、図１７に示すように、電動発電機においては、正転している場合であって正トルクを発生しているとき、及び逆転している場合であって逆トルクを発生しているときが力行領域となり、他方、正転している場合であって逆トルクを発生しているとき、及び逆転している場合であって正トルクを発生しているときが回生制動領域となる。
【００８１】
図１８及び図１９は、本発明の実施の形態１に係る建設機械における速度と牽引力との関係を示す走行特性図である。ここで、図１８はエンジン回転数が低い場合、図１９はエンジン回転数が高い場合をそれぞれ示している。また、図２０は、従来のトルクコンバータ搭載車（トルクコンバータ、３段の変速機、及びトルクコンバータをロックアップする機構を有したホイールローダ）における速度と牽引力との関係を示す走行特性図である。
【００８２】
なお、図１８、図１９、図２０の点線は搭載している電動発電器の出力を示しており、図２０で示すように、この出力ラインは従来のトルクコンバータ搭載車の１速から３速までの牽引力と同等に設定している。
【００８３】
まず、図２０を参照しながら、従来のトルクコンバータ搭載車の走行特性について説明する。変速段が１速の場合の最大牽引力と車速との関係は、図中の「１速＋Ｔ／Ｃの牽引力」が示すラインで表されている。車速がゼロの場合、図５１に示したように、トルク比（出力トルク／入力トルク）は大きく、また、図５２に示したように、エンジン回転数が最大のときに伝達トルクが最大となるため、エンジン回転数が最大のときに最大牽引力が発生する。車速が上昇するにしたがって速度比が大きくなってトルク比が小さくなるため、牽引力は小さくなる。そして、速度比が１のときにトルク比がゼロとなるため、牽引力もゼロとなる。このことは、２速及び３速の場合についても同様である。
【００８４】
１速でトルクコンバータをロックアップさせた場合、すなわち直結クラッチ結合状態とした場合の最大牽引力と車速との関係は、図２０中の「１速直結クラッチ結合牽引力」が示すラインで表されている。この場合、トルク比は１となり、トルクコンバータによるトルク増幅効果はなく、牽引力は低くなる。また、エンジンが有効なトルクを発生する回転数以下（図中では約３ｋｍ／ｈ程度）では、走行することができない。このことは、２速及び３速の場合についても同様である。
【００８５】
図５０を参照して説明したＶ字作業の場合、一般的には、時速１０ｋｍ／ｈ程度までの速度で前後進を繰り返すことになる。そのため、従来のトルクコンバータ搭載車（以下、従来車という）の場合、走行のときは２速のトルクコンバータによる動作のみを行い、土砂をすくうなどの作業のときには１速を用いることになる。また、２０ｋｍ／ｈ以上で高速走行する場合は、トルクコンバータをロックアップさせる。
【００８６】
なお、図２０においては、本実施の形態における電動発電機１１の出力相当を示す定出力ラインが示されている。単純にこの電動発電機１１のみで走行する場合を考えると、電動発電機１１の最大トルク及び最大回転数が十分に大きい場合、変速機を備えなくてもトルクコンバータ搭載車と同等の走行性能が得られることになる。しかしながら、実際には、最大トルクの制限及び最大回転数の制限があるため、変速機を備えずに優れた走行性能を得ることは、現在の電動発電機では極めて困難である。そのため、本発明では、変速機を備える構成となっている。
【００８７】
次に、図１８及び図１９を参照しながら、本実施の形態の建設機械における走行特性について説明する。なお、図１８は、エンジン１０が、電動発電機１１の最大トルクと比べて、遊星ギヤのバランス上で高いトルクを発生することができることを想定して作成されている。また、エンジン回転数は一定で低回転である場合を想定している。
【００８８】
図１８に示す１速、２速及び３速の各変速段の最大牽引力は、図１７に示す電動発電機の最大トルクで決定され、最高速度は、同じく電動発電機の最高回転数で決定される。また、図１８において、各変速段の特性における左半分の領域（網掛け領域）は電動発電機の回生制動領域を示し、右半分の領域は電動発電機の力行領域を示している。
【００８９】
図１８に示すように、本実施の形態の建設機械において、変速段が１速のときは、従来車の場合と異なり、ある速度（図１８では約３ｋｍ／ｈ）まで同じ牽引力を持続することができる。ここで変速段を上げると、最大牽引力は低くなるが回生制動領域での最大速度は上昇する。そのため、低い変速段で回生制動により発電しながら加速し、電動発電機の回転数が正転となる速度域からは蓄電された電力を消費しながら力行してさらに加速する。そして、蓄電量が少なくなると、変速段を上げて再び回生制動となり、発電して加速することになる。このようにして、本実施の形態の建設機械は、充放電を繰り返しながら加速する。
【００９０】
なお、このまま高速の定速走行を行う場合は、直結クラッチ１５を結合できる速度（直結クラッチ結合速度）になったときに直結クラッチ１５を結合してエンジン１０のみで走行することになる。通常、３速の直結クラッチ解放状態（電動発電機１１の回生制動又は力行を利用した走行状態）から、３速のままで直結クラッチ１５を結合すればよい。しかしながら、例えば直結クラッチ１５による直結の前に３速の力行状態での加速及び減速を繰り返したために、蓄電器１４の蓄電量が少なくなり、その結果３速の力行で３速の直結クラッチ結合速度まで加速することができないような場合は、一旦２速に変速してから、直結クラッチ１５を結合するようにしてもよい。この場合は、２速の直結クラッチ結合状態で加速し、３速の直結クラッチ結合速度に達してから３速に変速することになる。この速度域（図１８における１０ｋｍ／ｈ程度より高速）での走行の場合、直結クラッチ１５が結合している状態で変速機１２の変速段の切替を行えばよく、これは通常の自動車の変速動作と同様である。
【００９１】
図１９に示すように、エンジン１０が高回転の場合は、その回転数が高くなった分、牽引力が高速側に平行移動する。例えば、変速段が１速の場合の最大牽引力は、ゼロ速度の場合と同じままで、回生制動と力行との遷移点である３ｋｍ／ｈ程度までカバーしている。従来車の場合、図２０に示すように、最大牽引力は、車速が３ｋｍ／ｈ程度の場合ではゼロ速度の場合と比べて６０％程度まで低下する。このように、本実施の形態では、従来技術では実現できない性能が得られる。
【００９２】
また、図１９における定出力ラインを参照すると、車速が７ｋｍ／ｈ程度になるまで、１速から３速までの回生制動領域でカバーできていることがわかる。このことは、蓄電器１４に蓄電されていなくても、このエンジン回転数では、回生制動によって従来車と同等の牽引力が得られることを意味している（つまり電力を消費することなく、回生制動による発電のみでこの性能が得られる）。このため、蓄電量が不足すれば、エンジン回転数を上げることにより、回生制動でカバーする速度領域を広げて発電しながら加速して走行する。他方、蓄電量が十分であれば、エンジン回転数を下げることにより力行により加速して走行する。これにより、限られた蓄電量の範囲内で、回生制動による発電及び力行による放電を繰り返して走行することができる。
【００９３】
次に、減速する場合における本実施の形態の建設機械の走行動作について、図２１乃至図２３を参照しながら説明する。
【００９４】
図２１は、変速段が２速である場合であって、電動発電機１１が力行状態で加速しているとき又は一定速度での走行をしているときから減速するときの遊星ギヤの速度線図である。図２１に示すように、この場合は、電動発電機１１の回生制動により発電しながら減速する。
【００９５】
図２２は、変速段が２速である場合であって、電動発電機１１が回生制動状態で加速しているとき又は一定速度での走行をしているときから減速するときの遊星ギヤの速度線図である。図２２に示すように、この場合は、電動発電機１１の力行により放電しながら減速することになる。
【００９６】
蓄電量が満充電に近い状態にあるために放電する必要があるような場合であれば、図２２に示すように減速してもよい。しかしながら、減速エネルギを回生して充電するのが通常である。そのため、２速から１速へ変速段を下げることにより、図２３に示すように、電動発電機１１を力行状態から回生制動状態へ遷移させて減速する。
【００９７】
次に、スイッチバックを行う場合における本実施の形態の建設機械の走行動作について、図２４乃至図３３を参照しながら説明する。
【００９８】
従来車の場合、スイッチバックのときは、クラッチの摩擦とトルクコンバータの抵抗とによって制動エネルギを消費していた。これに対し、本発明では、スイッチバックのときの大きな回生エネルギを利用して発電し、蓄電器１４に蓄電することによって再利用が可能となる。
【００９９】
スイッチバックのときの走行は、前後進における変速タイミングによって、２通りの方法に大別される。第１の方法は早い段階で前後進を切り替えるもので、第２の方法は十分に減速してから前後進を切り替えるものである。
【０１００】
まず、第１の方法について説明する。図２４は、変速段が２速で加速して後進している場合又は一定速度で後進している場合における遊星ギヤの速度線図である。図２４に示すように、この場合、電動発電機１１は力行状態にある。この状態において、操縦者が前後進レバーを前進側へ操作すると、制御装置２は、変速段を前進に切り替えるように変速機１２へ指示する。これにより、遊星ギヤの出力軸（変速機１２の入力軸）は、逆方向に同じ回転数で回ることになる（但し、２速の前進及び後進のギヤ比が同じである場合に限る。）。その結果、図２５に示すように、電動発電機１１は回生制動状態となる。図２５に示す状態では、前後進の変速段が切り替わっているため、駆動トルクの方向が後進方向（図２４）から前進方向（図２５）へ変わることになる（図２４では変速段が後進のため、上向きが後進加速方向、図２５では変速段が前進のため、上向きが前進加速方向）。なお、変速段を前後進に切り替える際には、変速クラッチが解放されている間に電動発電機１１の回転数を制御して、変速終了後に変速クラッチが接続されるときの回転数と一致するようにすることによって、変速ショックを抑制する。
【０１０１】
前後進の切替が完了した場合は、図２５に示すように、電動発電機１１は回生制動となり、充電しながら加速して前進する。そして、その後、電動発電機１１の回転数が上昇し、図２６、図２７に示すように、力行状態へ遷移する。この間、エンジン１０が、加速に必要な電動発電機１１のトルクとバランスするトルクを発生するよう、制御装置２によって制御される。また、上述した場合と同様に、回生発電量及び力行による電力消費量を制御するために、エンジン回転数も制御される。
【０１０２】
次に、第２の方法について説明する。図２８は、変速段が２速で加速して後進している場合又は一定速度で後進している場合における遊星ギヤの速度線図である。図２８に示すように、この場合、電動発電機１１は力行状態にある。この状態において、操縦者が前後進レバーを前進側へ操作すると、制御装置２は、変速段は後進のままとし、エンジン回転数を低下させ、電動発電機１１が回生制動により発電しながら制動をかける（図２９）。そのままの状態で減速を続け、図３０に示すように、十分に速度を低下させる。その後、制御装置２は、変速段を前進に切り替えるように変速機１２へ指示する。その結果、図３１に示すように、前進方向に加速するようになる。
【０１０３】
なお、図３２及び図３３に示すように、電動発電機１１が力行状態にある場合にさらに減速し、後進状態からゼロ速度になるまで又は前進速度になるまで力行してから、変速段を前進に切り替える方法もある。この方法の方が、変速機１２にかかる機械的負担は少なくなる。
【０１０４】
次に、高速走行にある場合に操縦者が前後進レバーを切り替える場合は、次のようにすればよい。高速走行のまま前後進の切替を行うと、電動発電機の回転数が許容範囲を超えることとなる。そのため、上記の第１の方法を採用する場合であれば、電動発電機の回転数が許容範囲にある間に通常の回生減速を行い、その後に前後進の切替を実行する。他方、上記の第２の方法を採用する場合は、十分に速度が低下してから前後進の切替を行っているため、特段の問題は生じない。
【０１０５】
なお、第１及び第２の何れの方法を採用する場合であっても、減速中に変速段を切り替えるときは、クラッチが切れた状態となって減速が一旦弱まることとなり（トルク抜け）、操縦フィーリング上好ましくない。そのために、制御装置２は、上述したようにして、電子制御ブレーキ回路２１に対して、機械式ブレーキ指令を出力する。これにより、機械式ブレーキが補助的に用いられることになり、前後進の切替の際にトルク抜けが発生した場合でも操縦フィーリングを良好に保つことができる。
【０１０６】
次に、スイッチバックを行う場合における本実施の形態の建設機械の走行特性について、図３４乃至図３８を参照しながら説明する。
【０１０７】
まずは、上記の第１の方法を採用する場合について説明する。図３４及び図３５は、第１の方法によりスイッチバックを行う場合の本発明の実施の形態１に係る建設機械における速度と牽引力との関係を示す走行特性図である。なお、図３４はスイッチバックの直前における走行特性を、図３５は変速段を前進に切り替えて電動発電機による回生制動から力行へ遷移した場合における走行特性をそれぞれ示している。図３４は後進している場合を示しているため、前進の場合とは回生制動領域及び力行領域が反転している。
【０１０８】
図３４における丸印は、スイッチバック直前における速度及び牽引力を示している。また、図３５における丸印は、スイッチバック直後における速度及び牽引力を示しており、２速の力行状態（−５ｋｍ／ｈ）から、変速段を前進に切り替えて加速する場合の速度及び牽引力の遷移の様子が表されている。
【０１０９】
図３５からわかるように、変速段を前進に切り替えた場合、電動発電機の特性上大きな牽引力が出せないため、速度がある程度（図３５では＋２ｋｍ／ｈ程度）上昇するまでは牽引力が低くなる。しかしながら、変速段の前進への切替後は、２速のまま変速せずに加速することができるため、操縦フィーリングは良好となる。
【０１１０】
次に、上記の第２の方法を採用する場合について説明する。図３６乃至図３８は、第２の方法によりスイッチバックを行う場合の本発明の実施の形態１に係る建設機械における速度と牽引力との関係を示す走行特性図である。なお、図３６はスイッチバックの直前における走行特性を、図３７はスイッチバック直後から電動発電機の回生制動による加速が行われるまでの走行特性を、図３８は変速段を前進に切り替えて電動発電機による回生制動から力行へ遷移した場合における走行特性をそれぞれ示している。
【０１１１】
図３６における丸印は、スイッチバック直前における速度及び牽引力を示している。また、図３７における丸印は、スイッチバック直後における速度及び牽引力を示しており、２速の力行状態（−５ｋｍ／ｈ）から、変速段を切り替えずに加速する場合の速度及び牽引力の遷移の様子が表されている。さらに、図３８においては、丸印によって、２速の回生制動状態から、変速段を前進に切り替えて加速する場合の速度及び牽引力の遷移の様子が表されている。なお、図３６、図３７では、変速段は変わらないものの、加速方向が異なるため、回生制動領域及び力行領域が反転している。
【０１１２】
この第２の方法においては、変速段が切り替えられずに電動発電機の回生制動により車速が低下し（図３７）、その後変速段が前進に切り替えられ、回生制動から力行へ移行する（図３８）。図３４乃至図３８からわかるように、第２の方法においては、第１の方法と異なり、大きな牽引力を継続して得ることができる。
【０１１３】
なお、第２の方法の場合、第１の方法と比べてより大きな牽引力を得ることができるが、前方への加速の最中に変速段が後進から前進へ切り替えられることになるため（図３７から図３８への動き）、このときにトルク抜けが発生し、操縦フィーリングは好ましくない。この対策としては、上述したように電子制御式のブレーキを用いればよい。
【０１１４】
上述したように、本実施の形態によれば、蓄電器の限られた蓄電容量の範囲内で充放電を繰り返しながら走行することが可能となる。ホイールローダなどの巨大な建設機械の場合、電動発電機には大きな充放電電力が要求される。現状では、入出力密度が高い蓄電器は、キャパシタのようにエネルギ密度が低く、蓄電容量は限られてくる。本発明は、このようなキャパシタのように、入出力密度が高く、エネルギ密度の低い蓄電器を用いる場合に適しているといえる。
【０１１５】
（実施の形態２）
実施の形態２は、実施の形態１の構成に、エンジンの出力軸が逆転するのを防止するためのワンウェイクラッチを加えたものである。
【０１１６】
実施の形態１の建設機械では、重量物の牽引又は急勾配の登坂など、低速で大きな牽引力が必要な状態が持続すると、変速段が１速となり、エンジン回転数は低くなり、その結果、電動発電機は回生制動状態となる。この状態で蓄電器の蓄電容量が上限となると、発電した電力を消費する機能がなければ、走行を続けることはできない。これは、通常のトルクコンバータ搭載車の場合におけるトルクコンバータオイルのオーバーヒートに相当する。この問題を解消するために、実施の形態２の建設機械は、次のようにワンウェイクラッチを備えている。
【０１１７】
図３９は、本発明の実施の形態２に係る建設機械の主要部の構成を示すブロック図である。図３９に示すように、実施の形態２の建設機械３は、エンジン１０の出力軸に、当該出力軸が逆転するのを防止するためのワンウェイクラッチ３０が配設されている。この制御装置２は、上述したように蓄電器の蓄電容量が上限となった場合に、エンジン１０を停止させ、電動発電機１１のみによる走行を行うようにする。これにより、蓄電された電力が消費されることになる。このときに、ワンウェイクラッチ３０によって、エンジン１０の逆回転が防止される。これにより、電動発電機１１による走行のときに、エンジン１０が逆回転して駆動力が発生しないような事態を招くことがなくなる。
【０１１８】
なお、ワンウェイクラッチ３０以外の構成については、実施の形態１の場合と同様であるので、同一符号を付して説明を省略する。
【０１１９】
図４０及び図４１は、走行モードの移行を行う場合における本実施の形態における制御装置の動作の流れを示すフローチャートである。なお、以下では、エンジン及び電動発電機による走行モードを通常走行モードと呼び、電動発電機のみによる走行モードをモータ走行モードと呼ぶ。
【０１２０】
まず、通常走行モードからモータ走行モードへ移行するか否かを判定する処理について説明する。図４０に示すように、制御装置２は、電動発電機１１が力行状態にあるか回生制動状態にあるかを判定し（Ｓ３０１）、回生制動状態にあると判定した場合（Ｓ３０１でＹＥＳ）、蓄電器１４の蓄電量が設定上限値より多いか否かを判定する（Ｓ３０２）。ここで、蓄電量が設定上限値より多いと判定した場合（Ｓ３０２でＹＥＳ）、すなわち蓄電量が過剰であると判定した場合、制御装置２は、エンジン設定回転数が予め定められた下限値よりも低いか否かを判定する（Ｓ３０３）。
【０１２１】
ステップＳ３０３において、エンジン設定回転数が下限値よりも低いと判定した場合（Ｓ３０３でＹＥＳ）、制御装置２は、変速機１２の変速段が１速であるか否かを判定する（Ｓ３０４）。ここで、変速段が１速であると判定した場合（Ｓ３０４でＹＥＳ）、通常走行モードからモータ走行モードへの移行を実行する（Ｓ３０５）。このモータ走行モードへの移行は、制御装置２が、エンジン１０を停止させ、エンジントルク指令をゼロとすることによって実行される。
【０１２２】
なお、ステップＳ３０１において電動発電機１１は力行状態であると判定された場合（Ｓ３０１でＮＯ）、ステップＳ３０２において蓄電量が設定上限値以下であると判定された場合（Ｓ３０２でＮＯ）、ステップＳ３０３においてエンジン設定回転数が下限値以上であると判定された場合（Ｓ３０３でＮＯ）、及びステップＳ３０４において変速段が１速ではないと判定された場合（Ｓ３０４でＮＯ）は何れも、モータ走行モードへの移行は行われない。
【０１２３】
次に、モータ走行モードから通常走行モードへ復帰するか否かを判定する処理について説明する。図４１に示すように、制御装置２は、蓄電器１４の蓄電量が設定下限値より少ないか否かを判定する（Ｓ４０１）。ここで、蓄電量が設定下限値より少ないと判定した場合（Ｓ４０１でＹＥＳ）、すなわち蓄電量が不足している判定した場合、制御装置２は、モータ走行モードから通常走行モードへの移行を実行する（Ｓ４０２）。この通常走行モードへの復帰は、一旦停止した後に、制御装置２が、変速機１２をニュートラルにし、エンジン１０を始動した後、変速機１２を変速することによって実行される。
【０１２４】
図４２は、電動発電機エンジントルク配分手段２０５における電動発電機トルク指令及びエンジントルク指令の算出処理の一例の手順を示す説明図である。図４２に示すとおり、走行トルク計算手段２０３ａは、アクセル開度、車速、及び変速段数に基づいて、走行に必要なトルクを算出し、その算出した結果として走行トルク指令（Ｔout）を電動発電機エンジントルク配分手段２０５へ出力する。
【０１２５】
電動発電機エンジントルク配分手段２０５は、走行トルク指令（Ｔout）の入力を受けて、ＴＭ＝Ｔout・ａＭ／ａout及びＴＥ＝０を計算して、その計算結果として電動発電機トルク指令（ＴＭ）及びエンジントルク指令（ＴＥ）を電動発電機１１及びエンジン１０へそれぞれ出力する。
【０１２６】
なお、モータ走行モードの場合、すなわちエンジン１０を停止して電動発電機１１のみで力行する場合の速度及び牽引力の関係は、図４３に示すとおりである。これは電動発電機１１そのものの走行特性である。ただし、変速段が前進の場合は前進方向にのみ力行可能であり、変速段が後進の場合は後進方向にのみ力行可能である。
【０１２７】
（実施の形態３）
図４４は、本発明の実施の形態３に係る建設機械の主要部の構成を示すブロック図である。図４４に示すように、本実施の形態の建設機械４は、バケット及びアームなどの荷役装置駆動用の油圧ポンプ４１と、その油圧ポンプ４１を作動させるための荷役・操舵油圧回路４３とを備えている。油圧ポンプ４１及びエンジン１０は、ギヤ４２及び４４により直結されている。なお、その他の構成については、実施の形態１の場合と同様であるので、同一符合を付して説明を省略する。
【０１２８】
図４５は、本発明の実施の形態３に係る建設機械が備える制御装置２の構成を示す機能ブロック図である。図４５に示すとおり、計算手段２０３は、荷役必要トルク計算手段２０３ｃを備えている。この荷役必要トルク計算手段２０３ｃは、油圧ポンプ４１が必要とするトルクを計算し、その計算した結果を示す荷役エンジントルク指令を出力する。このようにして、出力された荷役エンジントルク指令は、電動発電機エンジントルク配分手段２０５によって出力されるエンジントルク指令に足されて、エンジン１０へ出力される。なお、制御装置２のその他の構成については、実施の形態１の場合と同様であるので、同一符合を付して説明を省略する。
【０１２９】
図４６は、電動発電機エンジントルク配分手段２０５における電動発電機トルク指令及びエンジントルク指令の算出処理の一例の手順を示す説明図である。図４６に示すとおり、走行トルク計算手段２０３ａは、アクセル開度、車速、及び変速段数に基づいて、走行に必要なトルクを算出し、その算出した結果として走行トルク指令（Ｔout）を電動発電機エンジントルク配分手段２０５へ出力する。
【０１３０】
電動発電機エンジントルク配分手段２０５は、走行トルク指令（Ｔout）の入力を受けて、ＴＭ＝Ｔout・ａＭ／ａout及びＴＥ＝Ｔout・ａE／ａoutを計算して、その計算結果として電動発電機トルク指令（ＴＭ）及びエンジントルク指令（ＴＥ）を電動発電機１１及びエンジン１０へそれぞれ出力する。
【０１３１】
また、荷役エンジントルク計算手段２０３ｃは、油圧ポンプ４１が必要とするトルクＴE2を算出し、その算出した結果として荷役エンジントルク指令（ＴE2）を出力する。この荷役エンジントルク指令（ＴE2）は、エンジントルク指令（ＴＥ）に加算され、その加算後のエンジントルク指令（ＴＥ＋ＴE2）がエンジン１０へ出力される。図中に示していないが、必要とするポンプ吐出量も計算し、油圧ポンプへ出力するとともに、油圧ポンプが必要とするトルクの計算にその吐出量を使用する。
【０１３２】
本発明の場合、エンジントルクと電動発電機トルクとがバランスを保った状態で走行する。そのため、エンジン軸に直結された油圧ポンプ４１に負荷をかける場合は、上述したように、走行系が必要とするエンジントルク（ＴＥ）と、荷役系が必要とする荷役エンジントルク（ＴE2）とを加算して全体のエンジントルク（ＴＥ＋ＴE2）を決定する必要がある。
【０１３３】
また、全体のエンジントルク（ＴＥ＋ＴE2）が、エンジン１０で発生可能なトルクを超える場合は、制御装置２が、予め定められた走行系及び荷役系の優先度にしたがってエンジントルク（ＴＥ）及び荷役エンジントルク（ＴE2）を設定し、その設定値から走行トルク指令（Ｔout）を逆算して電動発電機トルク指令も修正する。これにより、走行系と荷役系との間の干渉を防止することができる。なお、この優先度は、操縦者がレバーなどによって設定できるようにすればよい。
【０１３４】
（実施の形態４）
図４７は、本発明の実施の形態４に係る建設機械の主要部の構成を示すブロック図である。図４７に示すように、本実施の形態の建設機械５は、油圧ポンプ４１と荷役・操舵油圧回路４３との間に、抵抗制御装置５１を備えている。この抵抗制御装置５１は、後述するように、油圧ポンプ４１を抵抗器として機能させるためのものである。なお、その他の構成については、実施の形態３の場合と同様であるので、同一符合を付して説明を省略する。
【０１３５】
図４８は、本発明の実施の形態４に係る建設機械が備える制御装置２の構成を示す機能ブロック図である。図４８に示すとおり、計算手段２０３は、エンブレ増強値計算手段２０３ｄを備えている。このエンブレ増強値計算手段２０３ｄは、必要となるエンジンブレーキ値を計算し、その計算した結果を示すエンブレ増強指令を抵抗制御装置５１へ出力する。ここで、抵抗制御装置５１が、入力されたエンブレ増強指令に基づいて、油圧ポンプ４１の吐出流量と電制制御されたリリーフ弁などを組み合わせ、油圧ポンプ４１を抵抗器（エンブレ増強装置）として機能させる。なお、制御装置２のその他の構成については、実施の形態１の場合と同様であるので、同一符合を付して説明を省略する。
【０１３６】
図４９は、エンブレ増強値計算手段２０３ｄにおけるエンブレ増強指令の算出処理の一例の手順を示す説明図である。図４９に示すとおり、走行トルク計算手段２０３ａは、アクセル開度、車速、及び変速段数に基づいて、走行に必要なトルクを算出し、その算出した結果として走行トルク指令（Ｔout）を電動発電機エンジントルク配分手段２０５へ出力する。
【０１３７】
電動発電機エンジントルク配分手段２０５は、走行トルク指令（Ｔout）の入力を受けて、ＴＭ＝Ｔout・ａＭ／ａout及びＴＥ＝Ｔout・ａE／ａoutを計算して、その計算結果として電動発電機トルク指令（ＴＭ）及びエンジントルク指令（ＴＥ）を電動発電機１１及びエンジン１０へそれぞれ出力する。
【０１３８】
また、エンブレ増強値計算手段２０３ｄは、減速している場合に、エンジン１０の回転数からエンブレ値（ＴEB）を計算し、電動発電機エンジントルク配分手段２０５から出力されたエンジントルク（ＴＥ）からそのエンブレ値（ＴEB）を減算することにより、エンブレ増強値（ＴEBcmd）を算出する。これにより、エンジン自身の抵抗、すなわちエンブレ値（ＴEB）と、抵抗制御装置５１により発生させられる抵抗（ＴEBcmd）とがエンジン出力軸に発生する負トルクとなる。その結果、エンジン出力軸に、ＴEB−ＴEBcmd＝ＴEの負トルクを発生させることができる。
【０１３９】
本発明において、減速する場合に従来車と同様にエンジンブレーキを得るためには、エンジン１０及び電動発電機１１に負トルクを与える。この場合、エンジン１０は実際に負トルクを発生させることはできないので、エンジン自身の抵抗（エンジンブレーキ）の範囲内で減速することになるが、より強い減速力を得る必要があるとき（急勾配な坂を下る場合またはスイッチバックを行う場合等）は、上述したようにして抵抗制御装置５１により油圧ポンプ４１を抵抗器として機能させて、エンジンの出力軸に負トルクが発生するようにする。これにより、減速する場合のエネルギを電動発電機１１の発電により回収することができ、また機械ブレーキの負担を減らすことができる。
【０１４０】
（その他の実施の形態）
以上では、直結クラッチ１５が解放されている状態での走行動作について説明したが、直結クラッチ１５が結合した状態における電動発電機１１の動作について説明する。直結クラッチ１５が結合した場合、駆動軸に電動発電機が接続されたことと同じ状態になる。そのため、減速の場合には、電動発電機の回生制動により発電して蓄電器１４に電力が蓄えられ、また機械ブレーキの負担を減らすことができる。また、加速の場合には、蓄電器１４に蓄電されている余剰電力を利用して、電動発電機１１の力行によりエンジン１０をアシストすることができる。
【０１４１】
また、直結クラッチ１５の結合を行い、変速機１２の変速段をニュートラルにすることによって、エンジン１０と電動発電機１１とが直結されることになる。電動発電機１１は、通常のスタータと比べると十分に強力なものであるため、このようにエンジン１０と電動発電機１１とを直結することによって、電動発電機１１をスタータの代わりとして使用することができる。この場合、ニュートラルから前進段への切り替えは、操縦者からのレバー操作信号を受けた制御装置２が変速機１２に対して指令を出力することによりなされる。ここで、制御装置２は、前進段に切り替える前に、スタータの代わりとなる電動発電機１１によってエンジン１０を始動し、その後変速段を前進に切り替えるように変速機１２に指令を出力すればよい。
【産業上の利用可能性】
【０１４２】
本発明の建設機械及びその制御方法は、直結クラッチを解放した状態での低速域で良好な走行性能を実現することできるため、ホイールローダなどの建設機械及びその制御方法として有用である。
【図面の簡単な説明】
【０１４３】
【図１】本発明の実施の形態１に係る建設機械の主要部の構成を示すブロック図である。
【図２】本発明の実施の形態１に係る建設機械が備える制御装置の構成を示す機能ブロック図である。
【図３】エンジン回数設定手段におけるエンジン設定回転数計算の処理手順を示すフローチャートである。
【図４】電動発電機エンジントルク配分手段における電動発電機トルク指令及びエンジントルク指令の算出処理の一例の手順を示す説明図である。
【図５】変速段数計算手段における変速段数計算の処理手順を示すフローチャートである。
【図６】アイドリング状態における遊星ギヤの速度線図である。
【図７】１速発進（又は牽引状態）における遊星ギヤの速度線図である。
【図８】１速加速状態における遊星ギヤの速度線図である。
【図９】１速加速状態における遊星ギヤの速度線図である。
【図１０】１速加速状態における遊星ギヤの速度線図である。
【図１１】２速加速状態における遊星ギヤの速度線図である。
【図１２】２速加速状態における遊星ギヤの速度線図である。
【図１３】２速加速状態における遊星ギヤの速度線図である。
【図１４】２速加速状態における遊星ギヤの速度線図である。
【図１５】２速加速状態における遊星ギヤの速度線図である。
【図１６】エンジン回転数とトルクとの関係を示すグラフである。
【図１７】電動発電機回転数とトルクとの関係を示すグラフである。
【図１８】本発明の実施の形態１に係る建設機械における速度と牽引力との関係を示す走行特性図である。
【図１９】本発明の実施の形態１に係る建設機械における速度と牽引力との関係を示す走行特性図である。
【図２０】従来のトルクコンバータ搭載車における速度と件林力との関係を示す走行特性図である。
【図２１】減速する場合における遊星ギヤの速度線図である。
【図２２】減速する場合における遊星ギヤの速度線図である。
【図２３】減速する場合における遊星ギヤの速度線図である。
【図２４】スイッチバックを行う場合における遊星ギヤの速度線図である。
【図２５】スイッチバックを行う場合における遊星ギヤの速度線図である。
【図２６】スイッチバックを行う場合における遊星ギヤの速度線図である。
【図２７】スイッチバックを行う場合における遊星ギヤの速度線図である。
【図２８】スイッチバックを行う場合における遊星ギヤの速度線図である。
【図２９】スイッチバックを行う場合における遊星ギヤの速度線図である。
【図３０】スイッチバックを行う場合における遊星ギヤの速度線図である。
【図３１】スイッチバックを行う場合における遊星ギヤの速度線図である。
【図３２】スイッチバックを行う場合における遊星ギヤの速度線図である。
【図３３】スイッチバックを行う場合における遊星ギヤの速度線図である。
【図３４】第１の方法によりスイッチバックを行う場合の本発明の実施の形態１に係る建設機械における速度と牽引力との関係を示す走行特性図である。
【図３５】第１の方法によりスイッチバックを行う場合の本発明の実施の形態１に係る建設機械における速度と牽引力との関係を示す走行特性図である。
【図３６】第２の方法によりスイッチバックを行う場合の本発明の実施の形態１に係る建設機械における速度と牽引力との関係を示す走行特性図である。
【図３７】第２の方法によりスイッチバックを行う場合の本発明の実施の形態１に係る建設機械における速度と牽引力との関係を示す走行特性図である。
【図３８】第２の方法によりスイッチバックを行う場合の本発明の実施の形態１に係る建設機械における速度と牽引力との関係を示す走行特性図である。
【図３９】本発明の実施の形態２に係る建設機械の主要部の構成を示すブロック図である。
【図４０】走行モードの移行を行う場合における実施の形態２における制御装置の動作の流れを示すフローチャートである
【図４１】走行モードの移行を行う場合における実施の形態２における制御装置の動作の流れを示すフローチャートである
【図４２】電動発電機エンジントルク配分手段における電動発電機トルク指令及びエンジントルク指令の算出処理の一例の手順を示す説明図である。
【図４３】モータ走行モードにおける本発明の実施の形態１に係る建設機械の速度と牽引力との関係を示す走行特性図である。
【図４４】本発明の実施の形態３に係る建設機械の主要部の構成を示すブロック図である。
【図４５】本発明の実施の形態３に係る建設機械が備える制御装置の構成を示す機能ブロック図である。
【図４６】電動発電機エンジントルク配分手段における電動発電機トルク指令及びエンジントルク指令の算出処理の一例の手順を示す説明図である。
【図４７】本発明の実施の形態４に係る建設機械の主要部の構成を示すブロック図である。
【図４８】本発明の実施の形態４に係る建設機械が備える制御装置２の構成を示す機能ブロック図である。
【図４９】エンブレ増強値計算手段におけるエンブレ増強指令の算出処理の一例の手順を示す説明図である。
【図５０】Ｖ字作業を説明するための平面図である。
【図５１】トルクコンバータにおける速度比に対するトルク比と効率・吸収トルク係数との関係を示すグラフである。
【図５２】トルクコンバータにおける入力トルクとエンジン回転数との関係を示すグラフである。
【図５３】ホイールローダを電動発電機で駆動する場合における車速と牽引力との関係を示す走行特性図である。
【図５４】ホイールローダを電動発電機で駆動する場合における車速と牽引力との関係を示す走行特性図である。
【図５５】ホイールローダを電動発電機で駆動する場合における車速と牽引力との関係を示す走行特性図である。
【符号の説明】
【０１４４】
１、３，４，５  建設機械
２    制御装置
１０  エンジン
１１  電動発電機
１２  変速機
１３  インバータ
１４  蓄電器
１５  直結クラッチ
１６ａ  サンギヤ
１６ｂ  リングギヤ
１７  ギヤ
１８  キャリア軸
１９  デファレンシャルギヤ
２０  駆動輪
３０  ワンウェイクラッチ
４１  油圧ポンプ
４２，４４  ギヤ
４３  荷役・操舵油圧回路
５１  抵抗制御装置
【図１】
2008247269.tif 000003
【図２】
2008247269.tif 000004
【図３】
2008247269.tif 000005
【図４】
2008247269.tif 000006
【図５】
2008247269.tif 000007
【図６】
2008247269.tif 000008
【図７】
2008247269.tif 000009
【図８】
2008247269.tif 000010
【図９】
2008247269.tif 000011
【図１０】
2008247269.tif 000012
【図１１】
2008247269.tif 000013
【図１２】
2008247269.tif 000014
【図１３】
2008247269.tif 000015
【図１４】
2008247269.tif 000016
【図１５】
2008247269.tif 000017
【図１６】
2008247269.tif 000018
【図１７】
2008247269.tif 000019
【図１８】
2008247269.tif 000020
【図１９】
2008247269.tif 000021
【図２０】
2008247269.tif 000022
【図２１】
2008247269.tif 000023
【図２２】
2008247269.tif 000024
【図２３】
2008247269.tif 000025
【図２４】
2008247269.tif 000026
【図２５】
2008247269.tif 000027
【図２６】
2008247269.tif 000028
【図２７】
2008247269.tif 000029
【図２８】
2008247269.tif 000030
【図２９】
2008247269.tif 000031
【図３０】
2008247269.tif 000032
【図３１】
2008247269.tif 000033
【図３２】
2008247269.tif 000034
【図３３】
2008247269.tif 000035
【図３４】
2008247269.tif 000036
【図３５】
2008247269.tif 000037
【図３６】
2008247269.tif 000038
【図３７】
2008247269.tif 000039
【図３８】
2008247269.tif 000040
【図３９】
2008247269.tif 000041
【図４０】
2008247269.tif 000042
【図４１】
2008247269.tif 000043
【図４２】
2008247269.tif 000044
【図４３】
2008247269.tif 000045
【図４４】
2008247269.tif 000046
【図４５】
2008247269.tif 000047
【図４６】
2008247269.tif 000048
【図４７】
2008247269.tif 000049
【図４８】
2008247269.tif 000050
【図４９】
2008247269.tif 000051
【図５０】
2008247269.tif 000052
【図５１】
2008247269.tif 000053
【図５２】
2008247269.tif 000054
【図５３】
2008247269.tif 000055
【図５４】
2008247269.tif 000056
【図５５】
2008247269.tif 000057